(57)【要約】【課題】本発明は、光プラグ用の抜き治具に関し、従来の光プラグ用の抜き治具においては、光プラグのツマミを外側から掴んで引き抜くものであるので、構造が複雑化して密集した光ケーブルに抜き治具を差し入れて操作するのが困難であることが課題であって、それを解決することである。        【解決手段】光プラグをアダプタから抜去させる抜き治具であって、前記光プラグの光ケーブルを内部に収納できる大きさで適宜な長さの筒体と、該筒体の一側壁面に前記光ケーブルを外から内部へ挿入させるスリットが全長に亘って設けられ、前記筒体の長手方向の片側端部に、光プラグの後端部の間隙に挿入されるとともに周方向に回転されて抜去ツマミの引抜用係合部に半径方向に移動して係合する引抜用突起が端面から長手方向に沿って突設されてなる抜き治具３とするものである。【選択図】図３
2012088365.tif 000002
【特許請求の範囲】
【請求項１】
嵌合相手のアダプタにおける弾性係止片と係合する係止片を先端部に有するとともに光ファイバの接続先端部を保持する本体部と、該本体部の少なくとも後端部外周を囲繞しその囲繞する部分の一部から先端側へ延設させた係止解除片で前記アダプタの弾性係止爪と前記係止片との係止作用を解除するように前記本体部に対して抜去方向に摺動自在な抜去ツマミとを少なくとも有してなる光プラグにおいて、
前記光プラグの後端部における保護用ブーツと前記抜去ツマミの内周壁との間に抜き治具の一部である引抜用突起が挿入され周方向に回転できる間隙が設けられるとともに、前記抜去ツマミの後端部内周壁に前記引抜用突起が半径方向に移動して係合する引抜用係合部が設けられていること、
を特徴とする光プラグ。
【請求項２】
光プラグをアダプタから抜去させる抜き治具であって、前記光プラグの光ケーブルを内部に収納できる大きさで適宜な長さの筒体と、該筒体の一側壁面に前記光ケーブルを外から内部へ挿入させるスリットが全長に亘って設けられ、前記筒体の長手方向の片側端部に、光プラグの後端部の間隙に挿入されるとともに周方向に回転されて抜去ツマミの引抜用係合部に半径方向に移動して係合する引抜用突起が端面から長手方向に沿って突設されてなること、
を特徴とする抜き治具。
【発明の詳細な説明】
【技術分野】
【０００１】
本発明は、光プラグと該光プラグを嵌合相手のアダプタから引き抜くための抜き治具に関するものである。
【背景技術】
【０００２】
近年、ＦＴＴＨ網（Fiber To The Home  ファイバー・トゥ・ザ・ホーム）の普及により通信機器に取り付けられるプラグは、非常に高密度実装の上、ファイバーコードによりプラグ抜去用のツマミに手が届きにくくなってきている。また、プラグ（ＳＣ形光コネクタ）が密集状態であるため、必要プラグを誤って抜いてしまうことによる、通信事故が発生する可能性が増大している。かかる状況において、保守作業上プラグを抜かなくてはならない場合、棒状の抜去治具を使用し作業を行っているが、対象プラグの選択と抜去作業を確実に行うため、形状及び操作が複雑化している。従来のプラグは抜去治具に対応した構造で設計されていないので、素手で抜去治具を操作する事でアダプタから嵌合が解除されプラグを抜くことを前提にしている。よって、密集状態におけるプラグの抜去には、ツマミを挟み込む構造を先端に配置した棒状の治具により、ツマミを挟み込む力を加えつつ、軸方向の後方に引き出すような構造となっているものが知られている（特許文献１参照）。
【先行技術文献】
【特許文献】
【０００３】
【特許文献１】特開２００５−１７６０２号公報
【発明の概要】
【発明が解決しようとする課題】
【０００４】
しかし、従来の光プラグと抜き治具においては、治具自体の形状及び操作が複雑化するとともに、摺動する機構を設けなければならなかった。治具を光プラグの外側から被せるので、上下方向または左右方向において幅が広がり、光プラグのピッチを広くする必要があって高密度配線に適さないものである。かかる事態において、高密度配線に適し治具に対応した光プラグと、操作が容易で構造が簡易な治具が求められている。本発明に係る光プラグと抜き治具は、このような課題を解決するために提案されたものである。
【課題を解決するための手段】
【０００５】
本発明に係る光プラグと抜き治具の上記課題を解決して目的を達成するための要旨は、
嵌合相手のアダプタにおける弾性係止片と係合する係止片を先端部に有するとともに光ファイバの接続先端部を保持する本体部と、該本体部の少なくとも後端部外周を囲繞しその囲繞する部分の一部から先端側へ延設させた係止解除片で前記アダプタの弾性係止爪と前記係止片との係止作用を解除するように前記本体部に対して抜去方向に摺動自在な抜去ツマミとを少なくとも有してなる光プラグにおいて、前記光プラグの後端部における保護用ブーツと前記抜去ツマミの内周壁との間に抜き治具の一部である引抜用突起が挿入され周方向に回転できる間隙が設けられるとともに、前記抜去ツマミの後端部内周壁に前記引抜用突起が半径方向に移動して係合する引抜用係合部が設けられていることである。
【０００６】
また、本発明に係る抜き治具の要旨は、光プラグをアダプタから抜去させる抜き治具であって、前記光プラグの光ケーブルを内部に収納できる大きさで適宜な長さの筒体と、該筒体の一側壁面に前記光ケーブルを外から内部へ挿入させるスリットが全長に亘って設けられ、前記筒体の長手方向の片側端部に、光プラグの後端部の間隙に挿入されるとともに周方向に回転されて抜去ツマミの引抜用係合部に半径方向に移動して係合する引抜用突起が端面から長手方向に沿って突設されてなることである。
【発明の効果】
【０００７】
本発明の光プラグと抜き治具とによれば、本発明に係る光プラグのケーブルに、スリットから差し込んで抜き治具を挿着し、この抜き治具の先端を前記光プラグの後端部に差し込むと、当該抜き治具の引抜用突起が前記光プラグの後端部の間隙に入り込む。この抜き治具を嵌合させたまま回転させると、前記引抜用突起が光プラグにおける抜去ツマミの引抜用係合部に係合する。更に、抜き治具を後方に引くことで前記光プラグのアダプタとの係合が解除されて抜け出すものである。このように、抜き治具の引抜用突起が光プラグの抜去ツマミの内側の間隙に収まるので、寸法的に光プラグの外形寸法より大きくなることが無く、狭いピッチで配設することができて高密度実装に適した、光プラグと抜き治具との治具関係となる。
よって、治具自体に複雑な機構や操作を必要とせず、軽量で安価に提供できるものである。更に、治具の操作性が単に差し込んで回転させるだけであるので、簡易な操作性により保守作業に不慣れな作業者でも確実に光プラグを抜去できる。また、新規プラグにおいて、既存プラグと同じ外形寸法で製作できるので、既に敷設してある機器などのアダプタを変更することなく、本発明に係る光プラグを使用することができる等、数々の優れた効果を奏するものである。
【図面の簡単な説明】
【０００８】
【図１−Ａ】本発明に係る光プラグ１の正面図（Ａ）、側面図（Ｂ），平面図（Ｃ），底面図（Ｄ），背面図（Ｅ），斜視図（Ｆ）である。
【図１−Ｂ】光プラグ１における本体部１ｃの斜視図（Ａ）、抜去ツマミ１ｅの斜視図（Ｂ）、その両者を組み立てた状態の斜視図（Ｃ）である。
【図１−Ｃ】光プラグ１とアダプタ４との嵌合状態を示す縦断面図（Ａ）と、抜去時の縦断面図（Ｂ）とである。
【図２】同本発明に係る光プラグ２の正面図（Ａ）、側面図（Ｂ），平面図（Ｃ），底面図（Ｄ），背面図（Ｅ），斜視図（Ｆ）である。
【図３】同本発明に係る抜き治具３の正面図（Ａ）、側面図（Ｂ），平面図（Ｃ），斜視図（Ｄ）である。
【図４】同本発明に係る光プラグ１，２と抜き治具３との使用状態を説明する概略斜視図（Ａ），（Ｂ）である。
【図５】同本発明に係る光プラグ１と抜き治具３とにおいて、抜去させるときの状態を説明する概略斜視図（Ａ），（Ｂ），（Ｃ）である。
【図６】同本発明に係る光プラグ２と抜き治具３とにおいて、抜去させるときの状態を説明する概略斜視図（Ａ），（Ｂ），（Ｃ）である。
【発明を実施するための形態】
【０００９】
本発明に係る光プラグと抜き治具とは、抜き治具の係合解除用・引抜用の作用片を、光プラグの後端部の内側に差し込んで、光プラグの外形寸法に影響を与えないようにして、アダプタから光プラグを引き抜けるような、構造にしたものである。
【実施例１】
【００１０】
本発明に係る光プラグ１は、図１−Ａ、図１−Ｂに示すように、交換機等の機器に格子状に配設された矩形状で箱体の嵌合相手のアダプタ（図１−Ｃ参照）４における弾性係止片４ａと係合する係止片１ａを先端部に有するとともに、光ファイバの接続先端部（フェルール）１ｂを保持する本体部１ｃと、該本体部１ｃの少なくとも後端部外周を囲繞しその囲繞する部分の一部から先端側へ延設させた係止解除片１ｄで前記アダプタの弾性係止爪と前記係止片１ａとの係止作用を解除するように前記本体部１ｃに対して抜去方向に摺動自在な抜去ツマミ１ｅとを少なくとも有してなる。図中の符号１ｆは、光ケーブルを示し、符号１ｇは、嵌合時の相手のアダプタに設けられているスリットにガイドされるガイド片を示し、１ｍは保護用の合成樹脂製ブーツを示している。  
【００１１】
前記光プラグ１の後端部で前記保護用ブーツ１ｍと前記抜去ツマミ１ｅの内周壁との間に抜き治具３（図３参照）の一部である引抜用突起３ｄが挿入され周方向に回転できる間隙１ｈが設けられるとともに、前記抜去ツマミ１ｅの後端部内周壁に前記引抜用突起３ａが半径方向に移動して係合する引抜用係合部１ｋが設けられている。
【００１２】
前記引抜用係合部１ｋは、抜去ツマミ１ｅの後端部内周壁において、例えば、凹部若しくは外に貫通して穿設される貫通孔である。前記抜き治具３（図３参照）の引抜用突起３ｄと係合すればよいので、引抜用係合部１ｋは、嵌合相手が凹部であれば突起とするものである。
【００１３】
この光プラグ１は、図１−Ｃ（Ａ）に示すように、アダプタ４と嵌合状態の時には、弾性係止片４ａと係止片１ａとが係止していて、光プラグ１が抜け出すことがない。この時、抜去ツマミ１ｅの係止解除片１ｄは、前記弾性係止片４ａを通り越して挿入方向の奥に入り込んでいる。
【００１４】
そして、図１−Ｃ（Ｂ）に示すように、本体部１ｃに対して抜去ツマミ１ｅを抜去方向に引くと、前記係止解除片１ｄが抜去方向に移動し、前記弾性係止片４ａを押し広げて、前記係止片１ａとの係合を解除する。更に、抜去ツマミ１ｅを抜去方向に引くと、前記アダプタ４から光プラグ１が抜去されるものである。
【実施例２】
【００１５】
本発明に係る第２実施例の光プラグ２は、前記光プラグ１に対して、係止片と係止解除片の位置を変えたものであり、他は同様の構成であり、符号も同一の符号を付け説明している。この光プラグ２における係止片２ａは、図２（Ｂ）に示すように、プラグの幅方向の中央部に位置して、その両端部に抜去ツマミ２ｅと一体に移動する係止解除片２ｄが位置している。この抜去ツマミ２ｅを抜去方向に引く事で、アダプタ４との嵌合状態が解除されるのは、前記光プラグ１の場合と同じである。
【実施例３】
【００１６】
前記光プラグ１，２をアダプタ４から抜去させる抜き治具３は、図３に示すように、前記光プラグの光ケーブル１ｆを内部の空間に収納できる大きさで適宜な長さの合成樹脂製で矩形状若しくは円形状の筒体３ａと、該筒体３ａの一側壁面に前記光ケーブル１ｆを外から内部へ挿入させるスリット３ｂが全長に亘って設けられ、前記筒体３ａの長手方向の片側端部３ｃに、光プラグ１，２の後端部の間隙１ｈに挿入されるとともに周方向に回転されて抜去ツマミ１ｅ，２ｅの引抜用係合部１ｋに半径方向に拡開して係合する引抜用突起３ｄが、端面から長手方向に沿って突設されてなる。
【００１７】
前記引抜用突起３ｄは、２カ所にしてあるが、場合によっては４カ所にして、前記抜去ツマミ１ｅ，２ｅの引抜用係合部１ｋを縦２カ所・横２カ所の４カ所に設けるようにしても良い。なお、この実施例では引抜用突起３ｄとしているが、相手方が突起であれば、凹部とする物であり、要は、嵌合して係止でき、互いに一体的に連結できる関係にあればよい。
【００１８】
以上のようにしてなる本発明に係る光プラグ１，２と引抜用の抜き治具３とは、図４に示すように使用する。即ち、光プラグ１，２の後端部から間隙１ｈに対して、抜き治具３の引抜用突起３ｄを後方から差し込む。そして、図５（Ａ），図６（Ａ）に示すように、抜き治具３を挿着した状態となる。次に、図５（Ｂ），図６（Ｂ）に示すように、抜き治具３を約３５゜正方向に回転させる。これにより、光プラグ１，２の後端部の引抜用係合部１ｋに、引抜用突起３ｄが入り込んで嵌合し係止される。
【００１９】
そして、図５（Ｃ），図６（Ｃ）に示すように、抜去方向である後方に前記抜き治具３を引くと、係止している抜去ツマミ１ｅ，２ｅを後方に引き出す。すると、光プラグ１，２と嵌合しているアダプタ４（図１−Ｃ参照）との係止状態が解除される。前記抜去ツマミ１ｅ，２ｅの係止解除片１ｄ，２ｄが、アダプタ４側の弾性係止片４ａを係止片１ａ，２ａから解除するからである。更に、前記抜き治具３を抜去方向に引くと、光プラグ１，２をアダプタ４から抜き出すものである。その後、抜き治具３を逆方向に回して光プラグ１，２から外すものである。
【産業上の利用可能性】
【００２０】
本発明に係る光プラグと抜き治具は、光コネクタに限らず、電気信号用のコネクタにおいても適用することのできるものである。
【符号の説明】
【００２１】
１          光プラグ、                  １ａ        係止片、
１ｂ        接続先端部（フェルール）、
１ｃ        本体部、
１ｄ        係止解除片、                １ｅ        抜去ツマミ、
１ｆ        光ファイバーケーブル、      １ｇ        ガイド片、
１ｈ        間隙、                      １ｋ        引抜用係合部、
１ｍ        ブーツ、
２          光プラグ、                  ２ａ        係止片、
２ｃ        本体部、                    ２ｄ        係止解除片、
２ｅ        抜去ツマミ、
３          抜き治具、                  ３ａ        筒体、
３ｂ        スリット、                  ３ｃ        片側端部、
３ｄ        引抜用突起、
４          アダプタ、                  ４ａ        弾性係止片。
【図１−Ａ】
2012088365.tif 000003
【図１−Ｂ】
2012088365.tif 000004
【図１−Ｃ】
2012088365.tif 000005
【図２】
2012088365.tif 000006
【図３】
2012088365.tif 000007
【図４】
2012088365.tif 000008
【図５】
2012088365.tif 000009
【図６】
2012088365.tif 000010